(57)【要約】【課題】拡大虚像群の立体感を向上させることができる装飾表示体を提供する。【解決手段】装飾表示体１は、アクリル板などの透明素材１０の裏面に透明インキを用いて複数の画素２１を２次元的に配列させてなる画素パターン２０と、透明素材１０の表面に複数の凸レンズ状の集光素３１を２次元的に配列させてなる集光素パターン３０とが形成されている。この装飾表示体１において、集光素パターン３０は隣り合う各集光素３１の配列ピッチが次第に連続して変化していくことにより、各画素２１の拡大画像を次第に連続して高さを変化させながら透明素材１０の上方に現出させ、全体として曲面を有する立体的な拡大虚像群Ｚ１を構成させることを特徴とする。【選択図】図２
2013010339.tif 000002
【特許請求の範囲】
【請求項１】
シート状または板状の透明素材の表面に、複数の凸レンズ状の集光素を２次元的に配列して集光素パターンが形成されるとともに、前記透明素材の裏面に、複数の画素を２次元的に配列して画素パターンが形成され、前記各集光素と前記画素の配列ピッチが異なるように前記集光素パターンと前記画素パターンが形成されることにより、前記画素の拡大虚像が透明素材の上方または下方に現出する装飾表示体であって、
前記集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする装飾表示体。
【請求項２】
前記集光素パターンは、隣り合う各集光素の配列ピッチが前記集光素の配列方向に沿って０．３％以下の範囲で次第に連続して変化していく請求項１に記載の装飾表示体。
【請求項３】
前記集光素パターンは、各集光素の形状が前記集光素の配列方向に沿って次第に連続して変化していく請求項１または請求項２に記載の装飾表示体。
【請求項４】
前記集光素パターンは、各集光素の配列方向における径が前記集光素の配列方向に沿って小さくなるように変化していく請求項１ないし請求項３のいずれかに記載の装飾表示体。
【請求項５】
前記集光素パターンは、各集光素の配列方向における径が前記集光素の配列方向に沿って０．３％以下の範囲で小さくなるように変化していく請求項４に記載の装飾表示体。
【請求項６】
前記集光素パターンは、各集光素の形状が前記集光素の配列方向に沿って円形から、配列方向の径が短い楕円形に次第に連続して変化していく請求項３ないし請求項５のいずれかに記載の装飾表示体。
【請求項７】
前記集光素パターンは、隣り合う各集光素の配列方向が各集光素毎に次第に連続して旋回していく請求項１ないし請求項６のいずれかに記載の装飾表示体。
【請求項８】
前記集光素パターンは、隣り合う各集光素の配列方向が−０．３度〜＋０．３度の範囲で各集光素毎に次第に連続して旋回していく請求項７に記載の装飾表示体。
【請求項９】
前記集光素パターンの外側に第２の集光素パターンが設けられ、該第２の集光素パターンによって現出される拡大虚像群の上方に前記集光素パターンによる拡大虚像群が現出するものとなされている請求項１ないし請求項８のいずれかに記載の装飾表示体。
【請求項１０】
表面に複数の凸レンズ状の集光素を２次元的に配列して集光素パターンが形成されているシート状または板状の集光素付き透明素材と、複数の画素を２次元的に配列して画素パターンが形成されている画素シートとを備え、前記集光素付き透明素材の裏面に前記画素シートが貼着されている装飾表示体であって、
前記各集光素と各画素の配列ピッチが異なるように前記集光素パターンと前記画素パターンが形成されるとともに、前記集光素パターンは隣り合う各集光素の配列ピッチが次第に連続して変化していくことにより、各画素の拡大虚像が次第に連続して高さまたは深さを変化させながら前記集光素付き透明素材の上方または下方に現出し、全体として曲面を有する立体的な拡大虚像群を構成することを特徴とする装飾表示体。
【請求項１１】
請求項１０に記載の装飾表示体に用いられ、表面に複数の凸レンズ状の集光素を２次元的に配列して集光素パターンが形成されている集光素付き透明素材であって、
複数の画素を２次元的に配列して画素パターンが形成されている画素シートが裏面に貼着された場合に、前記各集光素と各画素の配列ピッチが異なるように前記集光素パターンと前記画素パターンが形成されるとともに、前記集光素パターンは隣り合う各集光素の配列ピッチが次第に連続して変化していくことにより、各画素の拡大虚像が次第に連続して高さまたは深さを変化させながら前記集光素付き透明素材の上方または下方に現出し、全体として曲面を有する立体的な拡大虚像群を構成することを特徴とする集光素付き透明素材。
【請求項１２】
シート状または板状の透明素材と、前記透明素材の表面に貼着され、複数の凸レンズ状の集光素を２次元的に配列して集光素パターンが形成されている集光素シートと、前記透明素材の裏面に貼着され、複数の画素を２次元的に配列して画素パターンが形成されている画素シートとを備える装飾表示体であって、
前記各集光素と各画素の配列ピッチが異なるように前記集光素パターンと前記画素パターンが形成されるとともに、前記集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする装飾表示体。
【請求項１３】
請求項１２に記載の装飾表示体に用いられ、表面に複数の凸レンズ状の集光素を２次元的に配列して集光素パターンが形成されている集光素シートであって、
該集光素シートの裏面にシート状または板状の透明素材が貼着されるとともに、該透明素材における前記集光素シート側の反対側の面に複数の画素を２次元的に配列して画素パターンが形成されている画素シートが貼着された場合に、前記各集光素と各画素の配列ピッチが異なるように前記集光素パターンと前記画素パターンが形成されるとともに、前記集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする集光素シート。
【請求項１４】
表面に複数の凸レンズ状の集光素を２次元的に配列して集光素パターンが形成されているシート状または板状の集光素付き透明素材と、表面に複数の画素を２次元的に配列して画素パターンが形成されているシート状または板状の画素付き透明素材とを備え、前記集光素付き透明素材と前記画素付き透明素材の裏面同士が貼着されることにより形成される装飾表示体であって、
前記各集光素と各画素の配列ピッチが異なるように前記集光素パターンと前記画素パターンが形成されるとともに、前記集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする装飾表示体。
【請求項１５】
表面の一部に複数の凸レンズ状の集光素を２次元的に配列して集光素パターンが形成されるとともに、同一表面の他の一部に複数の画素を２次元的に配列して画素パターンが形成されたシート状または板状の透明素材を備え、前記集光素パターンおよび前記画素パターンが外側に位置する態様で前記集光素パターンおよび前記画素パターンの間で前記透明素材を折り返し、対向した前記透明素材の裏面同士を貼着することにより形成される装飾表示体であって、
前記各集光素と各画素の配列ピッチが異なるように前記集光素パターンと前記画素パターンとが形成されるとともに、前記集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする装飾表示体。
【発明の詳細な説明】
【技術分野】
【０００１】
本発明は、拡大虚像群を現出させる装飾表示体、およびそれに用いられる集光素付き透明素材、並びに集光素シートに関し、特に遊技機やゲーム機の外装パネル、包装箱、広告体、飾り品、ディスプレイ装置などの各種商品の装飾に用いられるものに関する。
【背景技術】
【０００２】
一般に、遊技機やゲーム機の外層パネル、包装箱、広告体、飾り品や、あるいはディスプレイ装置などの種々の商品は、人の興味を喚起させるために表面などに文字や図柄などの装飾が施される場合が多い。こういった装飾において、各種商品の表面から図柄などの拡大虚像群を上方または下方に現出させることによって装飾性を向上させる技術が従来より知られており、例えば下記特許文献１に開示されている。
【０００３】
この特許文献１に開示される装飾表示体は、透明素材の表面に集光素を各集光素の並びに方向性を持たせて所定の配列ピッチで２次元的に配列した集光素パターンと、透明素材の裏面に複数の画素を各画素の並びに集光素パターンと同じ方向性を持たせて２次元的に配列した画素パターンとが形成されており、各画素の配列ピッチが各集光素の配列ピッチと異なるように集光素パターンおよび画素パターンを形成することによって、画素の拡大虚像群を透明素材の上方または下方に現出させるものである。具体的には、該画素パターンにおいて隣り合う各画素の配列ピッチが次第に連続して変化していくことによって画素の配列ピッチと集光素の配列ピッチとが異なるようにし、各画素の拡大虚像を次第に連続して高さまたは深さを変化させながら透明素材の上方または下方に現出させて、全体として緩やかな曲面を有する立体的な拡大虚像群を構成する。
【先行技術文献】
【特許文献】
【０００４】
【特許文献１】特許４４１３２７４号
【発明の概要】
【発明が解決しようとする課題】
【０００５】
しかしながら、従来の装飾表示体においては、各画素の拡大虚像から構成される拡大虚像群の曲面が緩やかであったため、拡大虚像群の立体感が弱かった。
【０００６】
また、集光素における所定の配列ピッチに基づいて画素の配列ピッチおよびその変化を設定し、該画素の配列ピッチおよびその変化の設定に基づいて画素の形状を設定するため、複雑な画素の形状を設定しにくく、各画素の拡大虚像から構成される拡大虚像群のデザインのバリエーションが少なかった。
【０００７】
本発明は、上述の問題に鑑みてなされたものであって、第１に、拡大虚像群の立体感を向上させることができる装飾表示体、およびそれに用いられる集光素付き透明素材、並びに集光素シートを提供することを目的とし、第２に、拡大虚像群のデザインのバリエーションを容易に増やすことができる装飾表示体、およびそれに用いられる集光素付き透明素材、並びに集光素シートを提供することを目的とする。
【課題を解決するための手段】
【０００８】
本発明に係る装飾表示体は、上記目的を達成するために、シート状または板状の透明素材の表面に、複数の凸レンズ状の集光素を２次元的に配列して集光素パターンが形成されるとともに、透明素材の裏面に、複数の画素を２次元的に配列して画素パターンが形成され、各集光素と画素の配列ピッチが異なるように集光素パターンと画素パターンが形成されることにより、画素の拡大虚像が透明素材の上方または下方に現出する。この装飾表示体において、集光素パターンは隣り合う各集光素の配列ピッチが次第に連続して変化していくことにより、各画素の拡大虚像が次第に連続して高さまたは深さを変化させながら透明素材の上方または下方に現出し、全体として曲面を有する立体的な拡大虚像群を構成することを特徴とする。
【０００９】
これによれば、隣り合う各集光素の配列ピッチを次第に連続して変化させることより、各画素の拡大虚像を次第に連続して高さまたは深さを変化させながら透明素材の上方または下方に現出させ、全体として曲面を有する立体的な拡大虚像群を構成することができる。また、拡大虚像群における曲率半径が小さくなり、拡大虚像群の高低差が明確になるため、拡大虚像群の立体感を向上させることができる。また、画素の配列ピッチの変化を設定する必要がなくなり、複雑な画素の形状を設定し易くなるため、拡大虚像群のデザインのバリエーションを容易に増やすことができる。
【００１０】
また、集光素パターンは、隣り合う各集光素の配列ピッチが集光素の配列方向に沿って０．３％以下の範囲で次第に連続して変化していくのが好ましい。これによれば、画素の拡大虚像の高さまたは深さをより確実に次第に連続的に変化するため、拡大虚像群の曲面を滑らかにすることができる。
【００１１】
また、集光素パターンは、隣り合う各集光素の配列ピッチが集光素の配列方向に沿って０．３％以下の範囲で次第に連続して変化していくのが好ましい。これによれば、画素の形状を変化させずとも、集光素の形状を変化させることよって、画素の拡大虚像の形状を変化させることができる。
【００１２】
また、集光素パターンは、各集光素の配列方向における径が集光素の配列方向に沿って小さくなるように変化していくのが好ましく、特に０．３％以下の範囲で小さくなるように変化していくのがより好ましい。これによれば、画素の拡大虚像の高低差と相俟って、画素の拡大虚像が配列方向に小さくなっていくため、拡大虚像群の曲面を実際の立体物に近い状態に見せることができる。
【００１３】
また、集光素パターンは、各集光素の形状が集光素の配列方向に沿って円形から楕円形に次第に連続して変化していくのが好ましい。これによれば、円形から楕円形という集光素の形状の簡単な設定により、拡大虚像群の曲面を実際の立体物に近い状態に見せることができる。
【００１４】
また、集光素パターンは、隣り合う各集光素の配列方向が各集光素毎に次第に連続して旋回してもよい。これによれば、画素の拡大虚像が旋回しながら現出するため、全体として歪んだ曲面の拡大虚像群を構成することができる。
【００１５】
また、集光素パターンは、隣り合う各集光素の配列方向が−０．３度〜＋０．３度の範囲で各集光素毎に次第に連続して旋回してもよい。これによれば、画素の拡大虚像が微小な角度で旋回しながら現出するため、実際の立体物に見える歪みを拡大虚像群の曲面上に表現することができる。
【００１６】
また、集光素パターンの外側に第２の集光素パターンが設けられ、該第２の集光素パターンによって現出される拡大虚像群の上方または下方に集光素パターンによる拡大虚像群が現出するものとなされているのが好ましい。これによれば、集光素パターンによる拡大虚像群と第２の集光素パターンによる拡大虚像群との間に高低差を生じさせることができるため、遠近感のあるより浮き出た状態の立体的な拡大虚像群を構成することが可能となる。
【００１７】
また、本発明に係る装飾表示体は、表面に複数の凸レンズ状の集光素を２次元的に配列して集光素パターンが形成されているシート状または板状の集光素付き透明素材と、複数の画素を２次元的に配列して画素パターンが形成されている画素シートとを備え、集光素付き透明素材の裏面に画素シートが貼着されている。この装飾表示体は、各集光素と各画素の配列ピッチが異なるように集光素パターンと画素パターンが形成されるとともに、集光素パターンは隣り合う各集光素の配列ピッチが次第に連続して変化していくことにより、各画素の拡大虚像が次第に連続して高さまたは深さを変化させながら集光素付き透明素材の上方または下方に現出し、全体として曲面を有する立体的な拡大虚像群を構成することを特徴とする。これによれば、集光素付き透明素材と画素シートをそれぞれ個別に作製し、集光素付き透明素材の裏面に画素シートを貼着することにより、セパレータ型の装飾表示体を構成することができる。
【００１８】
また、本発明に係る集光素付き透明素材は、請求項１０に記載の装飾表示体に用いられ、表面に複数の凸レンズ状の集光素を２次元的に配列して集光素パターンが形成されている。この集光素付き透明素材は、複数の画素を２次元的に配列して画素パターンが形成されている画素シートが裏面に貼着された場合に、各集光素と各画素の配列ピッチが異なるように集光素パターンと画素パターンが形成されるとともに、集光素パターンは隣り合う各集光素の配列ピッチが次第に連続して変化していくことにより、各画素の拡大虚像が次第に連続して高さまたは深さを変化させながら集光素付き透明素材の上方または下方に現出し、全体として曲面を有する立体的な拡大虚像群を構成することを特徴とする。これによれば、集光素付き透明素材を画素シートと個別に作製し、集光素付き透明素材の裏面に画素シートを貼着することにより、セパレータ型の装飾表示体を構成することができる。
【００１９】
また、本発明に係る装飾表示体は、シート状または板状の透明素材と、透明素材の表面に貼着され、複数の凸レンズ状の集光素を２次元的に配列して集光素パターンが形成されている集光素シートと、透明素材の裏面に貼着され、複数の画素を２次元的に配列して画素パターンが形成されている画素シートとを備える。この装飾表示体は、各集光素と各画素の配列ピッチが異なるように集光素パターンと画素パターンが形成されるとともに、集光素パターンは隣り合う各集光素の配列ピッチが次第に連続して変化していくことにより、各画素の拡大虚像が次第に連続して高さまたは深さを変化させながら透明素材の上方または下方に現出し、全体として曲面を有する立体的な拡大虚像群を構成することを特徴とする。これによれば、集光素シートと画素シートをそれぞれ個別に作製し、透明素材の表面に集光素シートを貼着し、かつ透明素材の裏面に画素シートを貼着することにより、セパレータ型の装飾表示体を構成することができる。
【００２０】
また、本発明に係る画素シートは、請求項１２に記載の装飾表示体に用いられ、表面に複数の凸レンズ状の集光素を２次元的に配列して集光素パターンが形成されている。この集光素シートは、該集光素シートの裏面にシート状または板状の透明素材が貼着されるとともに、該透明素材における前記集光素シート側の反対側の面に複数の画素を２次元的に配列して画素パターンが形成されている画素シートが貼着された場合に、各集光素と各画素の配列ピッチが異なるように集光素パターンと画素パターンが形成されるとともに、集光素パターンは隣り合う各集光素の配列ピッチが次第に連続して変化していくことにより、各画素の拡大虚像が次第に連続して高さまたは深さを変化させながら透明素材の上方または下方に現出し、全体として曲面を有する立体的な拡大虚像群を構成することを特徴とする。これによれば、画素シートを集光素シートと個別に作製し、透明素材の表面に集光素シートを貼着し、かつ透明素材の裏面に画素シートを貼着することにより、セパレータ型の装飾表示体を構成することができる。
【００２１】
また、本発明に係る装飾表示体は、表面に複数の凸レンズ状の集光素を２次元的に配列して集光素パターンが形成されているシート状または板状の集光素付き透明素材と、表面に複数の画素を２次元的に配列して画素パターンが形成されているシート状または板状の画素付き透明素材とを備え、集光素付き透明素材と画素付き透明素材の裏面同士が貼着されることにより形成される。この装飾表示体は、各集光素と各画素の配列ピッチが異なるように集光素パターンと画素パターンが形成されるとともに、集光素パターンは隣り合う各集光素の配列ピッチが次第に連続して変化していくことにより、各画素の拡大虚像が次第に連続して高さまたは深さを変化させながら透明素材の上方または下方に現出し、全体として曲面を有する立体的な拡大虚像群を構成することを特徴とする。これによれば、集光素付き透明素材と画素付き透明素材をそれぞれ個別に作製し、集光素付き透明素材と画素付き透明素材の裏面同士を貼着することにより、セパレータ型の装飾表示体を構成することができる。
【００２２】
また、本発明に係る装飾表示体は、表面の一部に複数の凸レンズ状の集光素を２次元的に配列して集光素パターンが形成されるとともに、同一表面の他の一部に複数の画素を２次元的に配列して画素パターンが形成されたシート状または板状の透明素材を備え、集光素パターンおよび画素パターンが外側に位置する態様で集光素パターンおよび画素パターンの間で透明素材を折り返し、対向した透明素材の裏面同士を貼着することにより形成される。この装飾表示体は、各集光素と各画素の配列ピッチが異なるように集光素パターンと画素パターンとが形成されるとともに、集光素パターンは隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成することを特徴とする。これによれば、一の透明素材の同一表面に集光素パターンと画素パターンをそれぞれ形成し、集光素パターンおよび画素パターンが外側に位置する態様で集光素パターンおよび画素パターンの間で透明素材を折り返し、対向する透明素材の裏面同士を貼着することにより、折り返し型の装飾表示体を構成することができる。
【発明の効果】
【００２３】
本発明によれば、隣り合う各集光素の配列ピッチを次第に連続して変化させることより、各画素の拡大虚像を次第に連続して高さまたは深さを変化させながら透明素材の上方または下方に現出させ、全体として曲面を有する立体的な拡大虚像群を構成することができる。  
【００２４】
また、従来のような画素パターンの配列ピッチを変化させた装飾表示体に比べて、拡大虚像群における曲率半径が小さくなり、拡大虚像群の高低差が明確になるため、拡大虚像群の立体感を向上させることができる。
【００２５】
また、画素の配列ピッチの変化を設定する必要がなくなり、複雑な画素の形状を設定し易くなるため、拡大虚像群のデザインのバリエーションを容易に増やすことができる。つまり、従来の方法では画素の配列ピッチ、径、配列方向を変化させていたため、画素の形状を複雑にすると、コンピュータソフトでの描画時に画素の形状を設定するためのアンカーポイントが多くなり、コンピュータ処理が不可能になってしまう場合があった。しかし、本発明では画素の配列ピッチではなく、集光素の配列ピッチを変化させるため、複雑な画素の形状（画素デザイン）にも対応可能であることから、拡大虚像群のデザインのバリエーションを容易に増やすことができる。
【００２６】
また、請求項１０ないし請求項１４に記載のセパレータ型の装飾表示体によれば、集光素シート、画素シート、集光素付き透明素材あるいは画素付き透明素材を個別に作製することができるため、それら種々形成されたものを選択的に組み合わせることより、様々なバリエーションの装飾表示体を容易に構成することが可能となる。特に、本発明では画素パターンの画素の配列ピッチが一定であるため、専門の業者でなくても画素シートや画素付き透明素材を作製することができ、それらを例えば専門業者などが作製した集光素シートや集光素付き透明素材と適宜組み合わせることにより、装飾表示体を容易に構成することが可能となる。
【００２７】
また、請求項１５に記載の折り返し型の装飾表示体によれば、透明素材のいずれか一方の表面に集光素パターンや画素パターンを形成すればよいため、集光素パターンと画素パターンを同時に形成したり、あるいは一連の流れ方式により順次形成することができ、装飾表示体を高速に構成することが可能となる。
【００２８】
而して、以上の装飾表示体によれば、人の興味を強く喚起させることができ、各種商品の装飾に用いられることにより購買意欲を向上させることが可能になる。
【図面の簡単な説明】
【００２９】
【図１】第１実施形態に係る装飾表示体の分解斜視図である。
【図２】図１の装飾表示体の模式断面と拡大虚像群の現出位置を示す図である。
【図３】図１の装飾表示体の集光素と画素の関係を示す模式図である。
【図４】第２実施形態に係る装飾表示体の模式断面と拡大虚像群の現出位置を示す図である。
【図５】図４の装飾表示体の集光素と画素の関係を示す模式図である。
【図６】第３実施形態に係る装飾表示体の集光素パターンの模式平面図である。
【図７】図６の装飾表示体の模式断面と拡大虚像群の現出位置を示す図である。
【図８】図６の装飾表示体の拡大虚像群の平面図である。
【図９】第４実施形態に係る装飾表示体の集光素パターンの模式平面図である。
【図１０】図９の装飾表示体の拡大虚像群の平面図である。
【図１１】第５実施形態に係る装飾表示体の集光素パターンの模式平面図である。
【図１２】図１１の装飾表示体の模式断面と拡大虚像群の現出位置を示す図である。
【図１３】図１１の装飾表示体の拡大虚像群の平面図である。
【図１４】第６実施形態に係る装飾表示体の拡大虚像群の平面図である。
【図１５】第７実施形態に係る装飾表示体の模式断面と拡大虚像群の現出位置を示す図である。
【図１６】（ａ）第７実施形態に係る装飾表示体の模式断面を示す拡大図と、（ｂ）第７実施形態に係る装飾表示体の他の例の模式断面を示す拡大図である。
【図１７】第７実施形態の第１の変形例に係る装飾表示体の模式断面を示す拡大図である。
【図１８】第７実施形態の第１の変形例に係る装飾表示体の模式断面を示す拡大図である。
【図１９】第８実施形態に係る装飾表示体の模式断面と拡大虚像群の現出位置を示す図である。
【図２０】第８実施形態に係る装飾表示体の（ａ）透明素材を折り返す前の状態を示す図と、（ｂ）透明素材を折り返して貼着した状態を示す図である。
【発明を実施するための形態】
【００３０】
次に本発明に係る装飾表示体の実施形態について説明する。なお、以下の説明において、各図に示す画素および集光素の大きさおよび配列ピッチなどは、説明の便宜上、強調的に大きく図示したものである。実際には非常に小さい画素および集光素が非常に数多く配列されている。
【００３１】
＜第１実施形態＞
本発明に係る装飾表示体の第１の実施形態について図１〜図３を参照しつつ説明する。
【００３２】
本実施形態に係る装飾表示体１は、図１に示すように、アクリル板などの板状の透明素材１０と、透明素材１０の裏面に着色された透明または不透明インキよりなる複数の画素２１が２次元的に配列してなる画素パターン２０と、透明素材１０の表面に着色または無着色の透明インキよりなる複数の凸レンズ状の集光素３１が２次元的に配列してなる集光素パターン３０とから構成され、画素パターン２０および集光素パターン３０のいずれも印刷によって透明素材１０の表裏面に形成されている。
【００３３】
前記画素パターン２０は、図２および図３に示すように、複数の画素２１を各画素２１の並びに方向性を持たせて２次元的に配列して形成されている。具体的に、画素パターン２０は、画素２１が水平方向に対して４５°の角度だけ傾斜した方向（以下「ｘ方向」という）に配列ピッチｐで直線的に配列するとともに、該ｘ方向と直交する方向（以下「ｙ方向」という）に配列ピッチｐで直線的に配列することによって、各画素２１がマトリクス状に２次元的に等配列している。なお、本実施形態の画素２１は、画素径が１．０ｍｍ、配列ピッチｐが１．１ｍｍに設定されている。
【００３４】
前記集光素パターン３０は、図２および図３に示すように、複数の凸レンズ状の集光素３１を画素パターン２０の各画素２１と同じ方向性を持たせて２次元的に配列して形成されている。具体的に、集光素パターン３０は、集光素３１が水平方向に対して４５°の角度だけ傾斜した方向（以下「ｘ方向」という）に配列ピッチｑｎで直線的に配列するとともに、該ｘ方向と直交する方向（以下「ｙ方向」という）に配列ピッチｑｎで直線的に配列することによって、各集光素３１がマトリクス状に２次元的に配列し、隣り合う各集光素３１の配列ピッチｑｎが各画素２１の配列ピッチｐよりも小さくなるように設定されている。これにより、図２に示すように、各画素２１の拡大虚像からなる拡大虚像群Ｚ１を見る位置に制限を受けることなく、揺らぎの少ない静的な状態で透明素材１０の上方に現出させることができる。なお、本実施形態の集光素３１は、集光素３１の径が０．９５ｍｍ、配列ピッチｑ１が１．０５ｍｍで設定されている。  
【００３５】
また、この集光素パターン３０は、隣り合う各集光素３１の配列ピッチｑｎが集光素３１の配列方向に沿って中心部から周縁部にかけて次第に連続して小さくなっていくように設定されている。具体的に、図２に示すように、中心部の集光素３１を集光素３１ａとして、集光素３１ａから周縁部に向かって順に隣り合う各集光素３１の配列ピッチｑｎをｑ１、ｑ２、ｑ３…とした場合、ｐ＞ｑ１＞ｑ２＞ｑ３…という関係を満たしている。
【００３６】
一般に、集光素３１の配列ピッチｑｎが画素２１の配列ピッチｐよりも小さい場合、集光素３１の配列ピッチｑｎが画素２１の配列ピッチｐに近づいて大きくなると、画素２１の拡大虚像Ｚ１の現出位置は高くなる。一方、集光素３１の配列ピッチｑｎが画素２１の配列ピッチｐから離れて小さくなると、画素２１の拡大虚像Ｚ１の現出位置は低くなる。
【００３７】
このため、隣り合う各集光素３１の配列ピッチｑｎが集光素パターン３０の中心部の集光素３１ａから周縁部にかけて次第に連続して小さくなることにより、図２に示すように、各画素２１の拡大虚像を中心部から周縁部にかけて次第に連続して低くさせながら透明素材１０の上方に現出させ、全体として中心部から周縁部にかけて下がりながら傾斜した凸状の曲面を有する立体的な拡大虚像群Ｚ１を構成することができる。
【００３８】
しかも、従来のように画素の配列ピッチを変化させた装飾表示体に比べて、拡大虚像群における曲率半径が小さくなり、拡大虚像群の高低差が明確になるため、拡大虚像群の立体感を向上させることができる。
【００３９】
また、画素の配列ピッチの変化を設定する必要がなくなり、複雑な画素の形状を設定し易くなるため、拡大虚像群のデザインのバリエーションを容易に増やすことができる。
【００４０】
＜第２実施形態＞
次に、本発明に係る装飾表示体の第２の実施形態について図４および図５を参照しつつ説明する。本実施形態では、拡大虚像群を透明素材１０の下方に現出させる場合について説明する。なお、本実施形態に係る装飾表示体２は、透明素材１０の表面において上述した第１実施形態の集光素パターン３０と異なる集光素パターン１３０が形成されているため、以下ではその具体的な内容について説明することとし、第１実施形態と同一の構成については説明を省略して同一の符号を付すこととする。
【００４１】
前記集光素パターン１３０は、図４および図５に示すように、複数の凸レンズ状の集光素３１を画素パターン２０の各画素２１と同じ方向性を持たせて２次元的に配列して形成されている。具体的に、集光素パターン１３０は、集光素３１が水平方向に対して４５°の角度だけ傾斜した方向（以下「ｘ方向」という）に配列ピッチｑｎで直線的に配列するとともに、該ｘ方向と直交する方向（以下「ｙ方向」という）に配列ピッチｑｎで直線的に配列することによって、各画素２１がマトリクス状に２次元的に等配列し、隣り合う各集光素３１の配列ピッチｑｎが各画素２１の配列ピッチｐよりも大きくなるように設定されている。これにより、図４に示すように、各画素２１の拡大虚像群Ｚ２を見る位置に制限を受けることなく、揺らぎの少ない静的な状態で透明素材１０の下方に現出させることができる。なお、本実施形態の集光素３１は、配列ピッチｑ１が１．１５ｍｍで設定されている。
【００４２】
また、この集光素パターン１３０は、隣り合う各集光素３１の配列ピッチｑｎが集光素３１の配列方向に沿って中心部から周縁部にかけて次第に連続して大きくなっていくように設定されている。具体的に、中心部の集光素３１ａから周縁部に向かって順に隣り合う各集光素３１の配列ピッチｑｎをｑ１１、ｑ１２、ｑ１３…とした場合、ｐ＜ｑ１１＜ｑ１２＜ｑ１３…という関係を満たしている。
【００４３】
一般に、集光素３１の配列ピッチｑｎが画素２１の配列ピッチｐよりも大きい場合、集光素３１の配列ピッチｑｎが画素２１の配列ピッチｐに近づいて小さくなると、画素２１の拡大虚像Ｚ２の現出位置は深くなる。一方、集光素３１の配列ピッチｑｎが画素２１の配列ピッチｐから離れて大きくなると、画素２１の拡大虚像Ｚ２の現出位置は浅くなる。
【００４４】
このため、隣り合う各集光素３１の配列ピッチｑｎが集光素パターン３０の中心部から周縁部に次第に連続して大きくなることにより、図４に示すように、各画素２１の拡大虚像を中心部から周縁部にかけて次第に連続して浅くさせながら透明素材１０の下方に現出させ、全体として中心部から周縁部にかけて上がりながら傾斜した凹状の曲面を有する立体的な拡大虚像群Ｚ２を構成することができる。
【００４５】
＜第３実施形態＞
次に、本発明に係る装飾表示体の第３の実施形態について図６〜図８を参照しつつ説明する。本実施形態では、球体状の拡大虚像群を現出させる場合について説明する。なお、本実施形態に係る装飾表示体３は、透明素材１０の表面において上述した第１および２の実施形態の集光素パターン３０、１３０と異なる集光素パターン２３０が形成されているため、以下ではその具体的な内容について説明することとし、上述の各実施形態と同一の構成については説明を省略して同一の符号を付すこととする。
【００４６】
前記集光素パターン２３０は、図６に示すように、透明素材１０の表面において円形状の領域Ｓに形成されている。また、本実施形態の画素パターン２０は、透明素材１０の裏面において集光素パターン２３０が形成されている円形状の領域Ｓと一致する領域に形成されているものとする。
【００４７】
この集光素パターン２３０は、図６および図７に示すように、複数の凸レンズ状の集光素３１を画素パターン２０の各画素２１と同じ方向性を持たせて２次元的に配列して形成されている。具体的に、集光素パターン２３０は、集光素３１が水平方向に対して４５°の角度だけ傾斜した方向（以下「ｘ方向」という）に配列ピッチｑｎで直線的に配列するとともに、該ｘ方向と直交する方向（以下「ｙ方向」という）に配列ピッチｑｎで直線的に配列することによって、各画素２１がマトリクス状に２次元的に配列し、隣り合う各集光素３１の配列ピッチｑｎが各画素２１の配列ピッチｐよりも小さくなるように設定されている。これにより、図７に示すように、各画素２１の拡大虚像群Ｚ３を見る位置に制限を受けることなく、揺らぎの少ない静的な状態で透明素材１０の上方に現出させることができる。  
【００４８】
また、この集光素パターン２３０は、隣り合う各集光素３１の配列ピッチｑｎが集光素３１の配列方向に沿って中心部から周縁部にかけて次第に連続して小さくなっていくように設定されている。具体的に、図７に示すように、中心部の集光素３１を集光素３１ａとして、集光素３１ａから周縁部に向かって順に隣り合う各集光素３１の配列ピッチｑｎをｑ１、ｑ２、ｑ３…とした場合、ｐ＞ｑ１＞ｑ２＞ｑ３…という関係を満たしている。
【００４９】
このため、隣り合う各集光素３１の配列ピッチｑｎが集光素パターン２３０の中心部の集光素３１ａから周縁部にかけて次第に連続して小さくなることにより、図７および図８に示すように、各画素２１の拡大虚像を中心部から周縁部にかけて次第に連続して低くさせながら透明素材１０の上方に現出させ、全体として中心部から周縁部にかけて下がりながら傾斜した凸状の曲面を有する立体的な拡大虚像群Ｚ３を構成することができる。
【００５０】
しかも、従来のように画素の配列ピッチを変化させた装飾表示体に比べて、拡大虚像群における曲率半径が小さくなり、拡大虚像群の高低差が明確になるため、拡大虚像群の立体感を向上させることができる。また、画素の配列ピッチの変化を設定する必要がなくなり、複雑な画素の形状を設定し易くなるため、拡大虚像群のデザインのバリエーションを容易に増やすことができる。
【００５１】
また、集光素パターン２３０は、隣り合う各集光素３１の配列ピッチが前記集光素３１の配列方向に沿って０．３％以下の範囲で次第に連続して変化していくように形成されている。このように集光素３１の配列ピッチの変化割合を０．３％以下としたのは、それを超える配列ピッチであると、画素２１の拡大虚像の曲面を滑らかにできないからである。したがって、集光素の配列ピッチの変化の割合を０．３％以下とすることによって、画素３１の拡大虚像の高さまたは深さがより確実に次第に連続的に変化するため、拡大虚像群Ｚ３の曲面を滑らかにすることができる。
【００５２】
また、集光素パターン２３０は、各集光素３１の形状が集光素３１の配列方向に沿って次第に連続して変化していくように形成されている。本実施形態では、集光素パターン２３０は、各集光素３１の配列方向における径が前記集光素の配列方向に沿って小さくなるように変化していく。さらに具体的には、図６に示すように、前記集光素パターン２３０は、中心部の集光素３１ａから各周縁部の集光素３１ｎにかけて、集光素３１の形状が円形から配列方向に直交する方向に延びた楕円形に次第に連続して変化していくものとなされている。
【００５３】
これによれば、図８に示すように、画素２１の形状を変化させずとも、集光素３１の形状を変化させることよって、画素３１の拡大虚像の形状を変化させることができる。また、画素２１の拡大虚像の高低差と相俟って、画素２１の拡大虚像が配列方向に小さくなっていくため、拡大虚像群の曲面を実際の立体物に近い状態に見せることができる。さらに、円形から楕円形という集光素３１の形状の簡単な設定により、拡大虚像群Ｚ３の曲面を実際の立体物に近い状態に見せることができる。
【００５４】
ここにおいて、各集光素３１の配列方向における径が集光素３１の配列方向に沿って０．３％以下の範囲で小さくなるように設定されるのがよい。これによれば、拡大虚像群の曲面を実際の立体物に近い状態により一層見せることができる。
【００５５】
なお、この「実際の立体物」とは、拡大虚像群Ｚ３と同形同大の球状立体物のことを指しているため、換言すれば実際の立体物を現実に目で見た場合と同じような見え方で拡大虚像群Ｚ３を構成することが可能となる。
【００５６】
また、集光素パターン２３０は、隣り合う各集光素３１の配列方向が集光素３１毎に次第に連続して旋回していくように設定されている。具体的に、集光素パターン２３０は、３つの集光素３１Ａ、３１Ｂ、３１Ｃが連続して隣り合うことによって配列方向を形成している場合、集光素３１Ａとそれに隣接する集光素３１Ｂとを結ぶ直線の延長線と、集光素３１Ｂとそれに隣接する集光素３１Ｃとを結ぶ直線とのなす角が、−０．３度〜＋０．３度の範囲で旋回する。従って、集光素パターン２３０全体としては、隣り合う各集光素３１の配列方向が−０．３度〜＋０．３度の範囲で集光素３１毎に次第に連続して旋回していくものとなされている。
【００５７】
本実施形態では、図６に示すように、隣り合う各集光素３１の配列方向が、中心部の集光素３１ａから各周縁部の集光素３１ｎに向かう方向について、中央部の集光素３１ａの位置における配列方向と水平方向との挟角の大きさをθ１、中央部および周縁部の中間部の位置における配列方向と水平方向との挟角の大きさをθ２、周縁部の集光素３１ｎの位置における配列方向と水平方向との挟角の大きさをθ３とした場合、θ１＜θ２＜θ３という関係を満たすように次第に連続して旋回している。なお、ここにおける集光素３１の配列方向が旋回（図６の反時計方向の旋回）していく角度は０度〜＋０．３度の範囲であり、本実施形態ではθ１＝４５度で、次第に連続して旋回していき、θ３＝４５．６度となされている。
【００５８】
これによれば、画素３１の拡大虚像が旋回しながら現出するため、全体として歪んだ曲面の拡大虚像群Ｚ３を構成することができる。しかも、旋回角度を−０．３度〜＋０．３度の範囲としたことによって、画素２１の拡大虚像が微小な角度で旋回しながら現出するため、実際の立体物に見える歪みを拡大虚像群Ｚ３の曲面上に表現することができる。
【００５９】
＜第４実施形態＞
次に、本発明に係る装飾表示体の第４の実施形態について図９および図１０を参照しつつ説明する。本実施形態では、画素３１の拡大虚像の位置の旋回を大きくする場合について説明する。なお、本実施形態に係る装飾表示体４は、透明素材１０の表面において上述した各実施形態の集光素パターン３０、１３０、２３０と異なる集光素パターン３３０が形成されているため、以下ではその具体的な内容について説明することとし、上述の各実施形態と同一の構成については説明を省略して同一の符号を付すこととする。
【００６０】
前記集光素パターン３３０は、第１実施形態と同様、複数の凸レンズ状の集光素３１を画素パターン２０の各画素２１と略同じ方向性を持たせて、画素２１の配列ピッチｐより小さい配列ピッチｑｎで２次元的に配列させている。
【００６１】
また、集光素パターン３３０は、図９に示すように、透明素材１０の表面において四辺が各々Ｓ字状に湾曲した略四角形状の領域Ｓ’に形成されている。なお、本実施形態の画素パターン２０は、透明素材１０の裏面において、集光素パターン３３０が形成されている略四角形状の領域Ｓ’と一致する領域に形成されているものとする。
【００６２】
この集光素パターン３３０は、隣り合う各集光素３１の配列ピッチｑｎが集光素３１の配列方向に沿って中心部の集光素３１ａから各周縁部の集光素３１ｎにかけて次第に連続して小さくなっていくように設定されている。
【００６３】
また、集光素パターン３３０は、集光素３１の配列方向が集光素３１の配列方向に沿って中央部から周縁部にかけて次第に連続して旋回していくように形成されている。具体的に、集光素３１の配列方向は、図９に示すように、中心部の集光素３１ａから各周縁部の集光素３１ｎに向かう方向について、隣り合う各集光素３１の配列方向が集光素３１毎に次第に連続して一方向（図９の反時計方向）に旋回していく。
【００６４】
また、集光素パターン３３０は、中央部の集光素３１ａの位置における配列方向と水平方向との挟角の大きさをθ１１、周縁部の集光素３１ｎの位置における配列方向と水平方向との挟角の大きさをθ１２とした場合、θ１１＜θ１２という関係を満たしている。また、本実施形態のθ１１と第３実施形態のθ１とはθ１＝θ１１、本実施形態のθ１２と第３実施形態のθ３とはθ３＜θ１２という関係を満たしている。
【００６５】
このように本実施形態における集光素３１の配列方向の旋回は、第３実施形態における集光素３１の配列方向の旋回より大きいため、集光素３１の配列方向の変化に伴って画素２１の拡大虚像の現出する位置が次第に連続して大きく旋回していくことより、図１０に示すように、画素パターン２０において直線的に配列する画素２１による拡大虚像の列を破線Ｌに示すように大きく湾曲させることができる。従って、該画素２１の拡大虚像の列Ｌの湾曲が立体的な拡大虚像群Ｚ４の曲面上に形成された模様（装飾物）とすることができるため、拡大虚像群Ｚ４のデザインにおけるバリエーションとすることが可能となる。
【００６６】
なお、本実施形態および第３実施形態において、隣り合う各集光素３１の配列方向が集光素３１毎に次第に連続して一方向に旋回する場合について説明したが、途中で逆方向に旋回するようにしてもよい。また、集光素３１の配列方向の旋回は時計方向であってもよい。
【００６７】
＜第５実施形態＞
次に、本発明に係る装飾表示体の第５の実施形態について図１１〜図１３を参照しつつ説明する。本実施形態では、球体状の拡大虚像群を浮き出た状態で現出させる場合について説明する。なお、本実施形態に係る装飾表示体５は、第３実施形態における装飾表示体３の集光素パターン２３０の外側に第２の集光素パターン４３０が形成されている。以下ではその具体的な内容について説明することとし、上述の各実施形態と同一の構成については説明を省略して同一の符号を付すこととする。
【００６８】
前記第２の集光素パターン４３０は、図１１および図１２に示すように、装飾表示体３における集光素パターン２３０の外側において、ｘ方向およびｙ方向について各集光素３１をマトリクス状に２次元的に配列しており、各集光素３１が各画素２１の配列ピッチｐよりも大きい一定の配列ピッチｑ’に設定されている。
【００６９】
従って、図１２および図１３に示すように、集光素パターン２３０による各画素２１の拡大虚像群Ｚ３が透明素材１０の中央部上方に現出するとともに、第２の集光素パターン４３０による各画素２１の拡大虚像群Ｚ５が透明素材１０の周縁部下方に現出する。これにより、集光素パターン２３０による拡大虚像群Ｚ３と第２の集光素パターン４３０による拡大虚像群Ｚ５との間に高低差を生じさせることができるため、遠近感のあるより浮き出た状態の立体的な拡大虚像群Ｚ３を構成することが可能となる。
【００７０】
なお、本実施形態において、集光素パターン２３０の外側に他の集光素パターンとして第２の集光素パターン４３０が１つ設ける場合について説明したが、配列ピッチの異なる他の集光素パターンを複数設けてもよい。
【００７１】
また、集光素パターン２３０による拡大虚像群Ｚ３が透明素材１０の上方側、第２の集光素パターン４３０による拡大虚像群Ｚ５が透明素材１０の下方側に現出する場合について説明したが、集光素パターン２３０による拡大虚像群Ｚ３とともに第２の集光素パターン４３０による拡大虚像群Ｚ５が透明素材１０の上方側に現出してもよい。この場合、集光素パターン２３０による拡大虚像群Ｚ３が第２の集光素パターン４３０による拡大虚像群Ｚ５より上方に構成されるようにするとよい。
【００７２】
＜第６実施形態＞
次に、本発明に係る装飾表示体の第６の実施形態について図１４を参照しつつ説明する。本実施形態では、デザインされた拡大虚像群を現出させる場合について説明する。なお、本実施形態に係る装飾表示体６は、上述した第１実施形態における透明素材１０の裏面において、画素パターン２０と異なる第２の画素パターンが形成されているものであるため、以下ではその具体的な内容について説明することとし、第１実施形態と同一の構成については説明を省略して同一の符号を付すこととする。
【００７３】
前記第２の画素パターンは、第１実施形態と同様、複数の画素を各画素の並びに方向性を持たせて配列ピッチｐでマトリクス状に２次元的に等配列している。本実施形態の画素は、人の顔を模した形状に形成されている。従って、図１４に示すように、人の顔の形状の画素による拡大虚像Ｚ６ａによってデザインされた拡大虚像群Ｚ６を見る位置に制限を受けることなく、揺らぎの少ない静的な状態で透明素材１０の上方に現出することができる。
【００７４】
本発明では、画素の配列ピッチを変化させるのではなく、集光素の配列ピッチを変化させるようにしたため、このように人の顔を模した複雑な形状の画素の拡大虚像を現出させることができる。つまり、従来の装飾表示体では、画素の配列ピッチを変化させていたことから、画素の配列ピッチと画素の形状を同時に設定しなければならなかったため、複雑な形状の画素を設定しにくいという問題があった。しかしながら、本発明では集光素の配列ピッチを変化させることから、画素の配列ピッチを必ずしも変化させる必要がなくなる。このため画素の設定のファクタが少なくなり、複雑な形状の画素を設定しやすくなり、画素の拡大虚像群のデザインのバリエーションを増やすことができる。
【００７５】
＜第７実施形態＞
次に、本発明に係る装飾表示体の第７の実施形態について図１５および図１６を参照しつつ説明する。本実施形態では、画素シート２０１０および集光素付き透明素材１０１０により構成されるセパレータ型の装飾表示体によって、各画素の拡大虚像群を上方に現出させる場合について説明する。なお、以下では、本実施形態に係る装飾表示体７と上述の各実施形態の装飾表示体とにおいて異なる構成について説明し、同一の構成については説明を省略して同一の符号を付すこととする。
【００７６】
本実施形態の装飾表示体７は、図１５に示すように、複数の画素２１が形成されている画素シート２０１０と、複数の凸レンズ状の集光素３１が形成されている集光素付き透明素材１０１０とを備えている。
【００７７】
前記画素シート２０１０は、図１６（ａ）に示すように、表面に着色された透明または不透明インキよりなる複数の画素２１を各画素２１の並びに方向性を持たせて２次元的に配列して画素パターン２０が形成されているシート状の部材である。この画素パターン２０は、第１実施形態の画素パターン２０と同様、画素２１が水平方向に対して４５°の角度だけ傾斜したｘ方向に配列ピッチｐで直線的に配列するとともに、該ｘ方向と直交するｙ方向に配列ピッチｐで直線的に配列することによって、各画素２１がマトリクス状に２次元的に等配列している。
【００７８】
前記集光素付き透明素材１０１０は、表面に着色または無着色の透明インキよりなる複数の集光素３１を画素パターン２０の各画素２１と同じ方向性を持たせて２次元的に配列して集光素パターン３０が形成されている板状の透明な部材である。この集光素パターン３０は、第１実施形態の集光素パターン３０と同様、集光素３１が水平方向に対して４５°の角度だけ傾斜したｘ方向に配列ピッチｑｎで直線的に配列するとともに、該ｘ方向と直交するｙ方向に配列ピッチｑｎで直線的に配列することにより、各集光素３１がマトリクス状に２次元的に配列している。また、隣り合う各集光素３１の配列ピッチｑｎが、各画素２１の配列ピッチｐよりも小さくなるように設定されているとともに、集光素３１の配列方向に沿って中心部から周縁部にかけて次第に連続して小さくなっていくように設定されている。
【００７９】
この装飾表示体７は、集光素付き透明素材１０１０の裏面に画素シート２０１０の表面（画素パターン２０側の面）が接着剤によって貼着されている。これにより、装飾表示体７は、第１実施形態の装飾表示体１における透明素材１０、画素パターン２０および集光素パターン３０と同様の構成となる。したがって、装飾表示体７は、図１５に示すように、各画素２１の拡大虚像からなる拡大虚像群Ｚ７を見る位置に制限を受けることなく、揺らぎの少ない静的な状態で集光素付き透明素材１０１０の上方に現出させることができる。また、各画素２１の拡大虚像が次第に連続して高さを変化させながら集光素付き透明素材１０１０の上方に現出し、全体として中心部から周縁部にかけて下がりながら傾斜した凸状の曲面を有する立体的な拡大虚像群Ｚ７を構成することができる。
【００８０】
なお、上述の第７の実施形態において、集光素付き透明素材１０１０の裏面に画素シート２０１０の表面が接着剤によって貼着される場合について説明したが、裏面（画素パターン２０側と反対の面）が貼着されるようにしてもよい。例えば、図１６（ｂ）に示すように、集光素付き透明素材１０１０の裏面に画素シート２０１０の裏面が接着剤によって貼着されてもよい。
【００８１】
また、画素シート２０１０は、裏面に画素パターン２０の背景を形成する背景層が設けられてもよい。
【００８２】
ここで、本実施形態の第１の変形例について図１７を参照しつつ説明する。
【００８３】
第１の変形例に係る装飾表示体７Ａは、図１７に示すように、透明素材１０２０と、画素シート２０１０と、集光素シート３０１０とにより構成されるセパレータ型の装飾表示体である。
【００８４】
前記透明素材１０２０は、表面および裏面が平面に形成されている板状の透明な部材である。また、前記画素シート２０１０は、上述の第７の実施形態で用いられたものと同様である。
【００８５】
前記集光素シート３０１０は、表面に着色または無着色の透明インキよりなる複数の凸レンズ状の集光素３１を画素パターン２０の各画素２１と同じ方向性を持たせて２次元的に配列して集光素パターン３０が形成されているシート状の透明な部材である。
【００８６】
この装飾表示体７Ａは、集光素シート３０１０の裏面（集光素パターン３０側と反対側の面）に透明素材１０２０の表面が接着剤によって貼着されるとともに、該透明素材１０２０の裏面に画素シート２０１０の表面（画素パターン２０側の面）が接着剤によって貼着されている。これにより、装飾表示体７Ａは、上述の装飾表示体７と同様、第１実施形態の装飾表示体１における透明素材１０、画素パターン２０および集光素パターン３０と同様の構成とすることができる。
【００８７】
さらに、本実施形態の第２の変形例について図１８を参照しつつ説明する。
【００８８】
第２の変形例に係る装飾表示体７Ｂは、図１８に示すように、画素付き透明素材１０３０および集光素付き透明素材１０４０により構成されるセパレータ型の装飾表示体である。
【００８９】
前記画素付き透明素材１０３０は、表面に着色された透明または不透明インキよりなる複数の画素２１を各画素２１の並びに方向性を持たせて２次元的に配列して画素パターン２０が形成されている板状の透明な部材である。
前記集光素付き透明素材１０４０は、表面に着色または無着色の透明インキよりなる複数の集光素３１を画素パターン２０の各画素２１と同じ方向性を持たせて２次元的に配列して集光素パターン３０が形成されている板状の透明な部材である。
【００９０】
この装飾表示体７Ｂは、画素付き透明素材１０３０と集光素付き透明素材１０４０の裏面同士が接着剤によって貼着されている。これにより、装飾表示体７Ｂは、上述の装飾表示体７と同様、第１実施形態の装飾表示体１における透明素材１０、画素パターン２０および集光素パターン３０と同様の構成とすることができる。
【００９１】
なお、本実施形態において、画素シート２０１０あるいは集光素シート３０１０が接着剤によって各透明素材に貼着される場合について説明したが、その他の方法で貼着されてもよい。
【００９２】
また、第２の変形例に係る装飾表示体７Ｂは、図１８に示すように、画素付き透明素材および集光素付き透明素材の厚みが同一であるように描かれているが、厚みは同一でなくてもよい。例えば、装飾表示体７Ｂにおける画素付き透明素材および集光素付き透明素材の厚みの合計が３ｍｍで拡大虚像群を現出する場合、集光素付き透明素材１０３０を２ｍｍの厚さに設定し、画素付き透明素材を１ｍｍの厚さに設定して、厚みの合計を３ｍｍにしてもよい。
【００９３】
＜第８実施形態＞
次に、本発明に係る装飾表示体の第８の実施形態について図１９および図２０を参照しつつ説明する。本実施形態では、同一表面に集光素パターン３０および画素パターン２０が形成されている透明素材１０５０を折り返すことにより構成される折り返し型の装飾表示体によって、各画素の拡大虚像群を上方に現出させる場合について説明する。なお、以下では、本実施形態に係る装飾表示体８と上述の各実施形態の装飾表示体とにおいて異なる構成について説明し、同一の構成については説明を省略して同一の符号を付すこととする。
【００９４】
本実施形態の装飾表示体８は、図２０（ａ）に示すように、表面の一部に複数の凸レンズ状の集光素３１を各集光素３１の並びに方向性を持たせて２次元的に配列して集光素パターン３０が形成される。また、装飾表示体８の同一表面の他の一部に複数の画素２１を集光素パターン３０の各集光素３１と同じ方向性を持たせて２次元的に配列して画素パターン２０が形成されている。そして、図２０（ｂ）に示すように、集光素パターン３０および画素パターン２０が外側に位置する態様で集光素パターン３０および画素パターン２０の間で透明素材１０５０を折り返し、対向した透明素材１０５０の裏面同士を接着剤によって貼着することにより形成されている。
【００９５】
これにより、装飾表示体８は、第１実施形態の装飾表示体１における透明素材１０、画素パターン２０および集光素パターン３０と同様の構成となる。したがって、装飾表示体８は、図１９に示すように、各画素２１の拡大虚像からなる拡大虚像群Ｚ８を見る位置に制限を受けることなく、揺らぎの少ない静的な状態で集光素付き透明素材１０５０の上方（集光素パターン３０側）に現出させることができる。また、各画素２１の拡大虚像が次第に連続して高さを変化させながら集光素付き透明素材１０５０の上方に現出し、全体として中心部から周縁部にかけて下がりながら傾斜した凸状の曲面を有する立体的な拡大虚像群Ｚ８を構成することができる。
【００９６】
なお、上記の各実施形態において、集光素３１および画素２１の形状、配列ピッチ、大きさは上述のものに限定されるものではない。
【００９７】
また、集光素３１および画素２１の配列方向は必ずしも直交するパターンである必要はなく、３０度や６０度などのその他の角度で交わるパターンでもよい。
【００９８】
また、画素パターン２０は画素２１の配列ピッチｐが一定である場合について説明したが、画素２１の配列ピッチも適宜変更されてもよい。
【００９９】
また、集光素パターン３０および画素パターン２０が印刷によって形成される場合について説明したが、その他の方法で形成されてもよい。なお、印刷で形成する場合は、オフセット印刷、インクジェット印刷などの種々の公知技術を適用することが可能である。
【０１００】
また、透明素材１０、１０１０、１０２０、１０３０、１０４０が透明である場合について説明したが、半透明でもよい。
【０１０１】
また、透明素材１０、１０１０、１０２０、１０３０、１０４０が板状である場合について説明したが、シート状であってもよい。
【０１０２】
また、装飾表示体７、７Ａ、７Ｂ、８の画素パターン２０および集光素パターン３０が第１実施形態と同様の構成となる場合について説明したが、第２実施形態と同様の構成となるようにしてもよい。これにより、各画素２１の拡大虚像からなる拡大虚像群を見る位置に制限を受けることなく、揺らぎの少ない静的な状態で集光素付き透明素材の下方に現出させることができる。また、各画素２１の拡大虚像が次第に連続して深さを変化させながら集光素付き透明素材１０５０の下方に現出し、全体として中心部から周縁部にかけて上がりながら傾斜した凹状の曲面を有する立体的な拡大虚像群を構成することができる。
【０１０３】
また、装飾表示体１〜８が単体の商品である場合について説明したが、遊技機やゲーム機の外装パネル、包装箱、広告体、飾り品、ディスプレイ装置などの各種商品の装飾に用いられてもよい。このことにより、例えばディスプレイ装置としてのデジタルフォトフレームにおける周縁部の装飾効果を向上させることができ、装飾表示体１〜８による拡大虚像群を下方に現出させた場合、デジタルフォトフレームにおける静止画や動画を周縁部から浮き出た状態に映し出すことが可能になる。このため、人の興味を強く喚起させることができるため、各種商品の装飾に用いられることにより購買意欲を向上させることが可能になる。
【０１０４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【０１０５】
１〜７、７Ａ、７Ｂ、８…装飾表示体
１０、１０１０、１０２０、１０３０、１０４０、１０５０…透明素材
２０…画素パターン
２１…画素
２１ａ…中央部の画素
３０、１３０、２３０、３３０…集光素パターン
３１…集光素
３１ａ…中央部の集光素
３１ｎ…周縁部の集光素
４３０…第２集光素パターン
２０１０…画素シート
３０１０…集光素シート
【図１】
2013010339.tif 000003
【図２】
2013010339.tif 000004
【図３】
2013010339.tif 000005
【図４】
2013010339.tif 000006
【図５】
2013010339.tif 000007
【図６】
2013010339.tif 000008
【図７】
2013010339.tif 000009
【図８】
2013010339.tif 000010
【図９】
2013010339.tif 000011
【図１０】
2013010339.tif 000012
【図１１】
2013010339.tif 000013
【図１２】
2013010339.tif 000014
【図１３】
2013010339.tif 000015
【図１４】
2013010339.tif 000016
【図１５】
2013010339.tif 000017
【図１６】
2013010339.tif 000018
【図１７】
2013010339.tif 000019
【図１８】
2013010339.tif 000020
【図１９】
2013010339.tif 000021
【図２０】
2013010339.tif 000022